(57)【特許請求の範囲】
【請求項１】
幅方向に離間して配置され、それぞれ車輪が設けられた左側本体及び右側本体、前記左側本体及び前記右側本体からそれぞれ後方に向かって延び把持可能な把持部、及び前記左側本体と前記右側本体とに架け渡された着座部、を有した車椅子と、
前記車椅子に連結され、物品を支持可能な支持部を有する機器と、
前記車椅子と前記機器とを連結する連結部と、を備え、
前記支持部は、前記着座部の後面と一対の前記把持部とにより囲まれた後部空間内に配置され、
前記連結部は、前記左側本体及び前記右側本体の少なくとも一方の前記把持部の下方に取り付けられ、
前記連結部は、
前記左側本体の下部又は前記右側本体の下部に取り付けられる車椅子側取付部と、
前記機器に着脱可能に取り付けられる機器側取付部と、
前記車椅子側取付部と前記機器側取付部とを接続する接続部と、を有し、
前記接続部は、前記車椅子側取付部を中心に、前記車椅子側取付部の取り付けられた前記左側本体又は前記右側本体に沿う位置まで回動可能とされていることを特徴とする医療設備システム。
【請求項２】
幅方向に離間して配置され、それぞれ車輪が設けられた左側本体及び右側本体、前記左側本体及び前記右側本体からそれぞれ後方に向かって延び把持可能な把持部、及び前記左側本体と前記右側本体とに架け渡された着座部、を有した車椅子と、
前記車椅子に連結され、物品を支持可能な支持部を有する機器と、
前記車椅子と前記機器とを連結する連結部と、を備え、
前記支持部は、前記着座部の後面と一対の前記把持部とにより囲まれた後部空間内に配置され、
前記連結部は、前記左側本体及び前記右側本体の少なくとも一方の前記把持部の下方に取り付けられ、
前記連結部は、
前記左側本体の下部又は前記右側本体の下部に取り付けられる車椅子側取付部と、
前記機器に着脱可能に取り付けられる機器側取付部と、
前記車椅子側取付部と前記機器側取付部とを接続する接続部と、
前記機器を、前記車椅子に連結するための連結位置に案内するガイド機構と、を有し、
前記機器は、床面上に設置され、前記支持部が設けられた脚体を有し、
前記脚体は、前記支持部を中心に前記床面に沿って放射線状に延びる複数の脚部を有し、
前記ガイド機構は、前記脚部のいずれかに当接可能な当接部を有するとともに、前記当接部をいずれかの前記脚体に当接させて前記機器を回動させ前記連結位置に配置することを特徴とする医療設備システム。
【請求項３】
前記連結部は、前記機器を、前記車椅子に連結するための連結位置に案内するガイド機構をさらに有し、
前記機器は、床面上に設置され、前記支持部が設けられた脚体を有し、
前記脚体は、前記支持部を中心に前記床面に沿って放射線状に延びる複数の脚部を有し、
前記ガイド機構は、前記脚部のいずれかに当接可能な当接部を有するとともに、前記当接部をいずれかの前記脚体に当接させて前記機器を回動させ前記連結位置に配置することを特徴とする請求項１に記載の医療設備システム。
【請求項４】
幅方向に離間して配置され、それぞれ車輪が設けられた左側本体及び右側本体、前記左側本体及び前記右側本体からそれぞれ後方に向かって延び把持可能な把持部、及び前記左側本体と前記右側本体とに架け渡された着座部、を有した車椅子と、
前記車椅子に連結され、物品を支持可能な支持部を有する機器と、
前記車椅子と前記機器とを連結する連結部と、を備え、
前記支持部は、前記着座部の後面と一対の前記把持部とにより囲まれた後部空間内に配置され、
前記連結部は、前記左側本体及び前記右側本体の少なくとも一方の前記把持部の下方に取り付けられ、
前記連結部は、
前記左側本体の下部又は前記右側本体の下部に取り付けられる車椅子側取付部と、
前記機器に着脱可能に取り付けられる機器側取付部と、
前記車椅子側取付部と前記機器側取付部とを接続する接続部と、を有し、
前記左側本体及び前記右側本体は、それぞれ前後方向に延びるティッピングレバーを有し、
前記車椅子側取付部の横取付体は、前記ティッピングレバーに取り付けられていることを特徴とする医療設備システム。
【発明の詳細な説明】
【技術分野】
【０００１】
本発明は、医療設備システムに関するものである。
【背景技術】
【０００２】
従来より、病院、介護施設や自宅等においては、傷病者が着座状態で移動できる移動手段として車椅子が利用されている。
また、傷病者には、輸液を注射針で投与する点滴治療が行われることがある。この場合には、一般的に、床面から上方に延びる支柱と、支柱に設けられ輸液の充てんされた輸液パックを係合可能な係合部とを有する点滴スタンドに、輸液パックを係合して点滴治療が行われる。
【０００３】
また、車椅子に着座する傷病者が、点滴治療を受けつつ病院内等を移動することがある。このため、車椅子と車椅子の前方に配置された点滴スタンドとを連結する連結部材が知られている（下記特許文献１参照）。
特許文献１によれば、点滴スタンドは、キャスタが設けられ床面上を走行可能とされたキャスタ支持脚と、キャスタ支持脚から上方に延びる支柱と、支柱の上端に設けられ輸液パックを係合可能な係合部とを有している。この点滴スタンドと車椅子とを連結する連結部材は、車椅子の肘掛けを支持する左右一対の肘掛け支持フレームのうち片側の肘掛け支持フレームに装着された筒状のホルダと、ホルダから前方に向かって延びるロッドと、ロッドに設けられ円筒に形成され、内部に点滴スタンドの支柱が配置されたジョイントと、を有している。
【０００４】
ところが、特許文献１に記載の連結部材により車椅子と点滴スタンドとを連結すると、点滴スタンドが車椅子の前方に配置されるため、看護師等は、車椅子に着座する傷病者に対して前方から処置等をする際に、点滴スタンドが邪魔になり処置の支障になる可能性がある。
【０００５】
そこで、車椅子の後方において、点滴スタンドを連結させる構成が提案されている。当該構成によれば、車椅子の後側の左右の本体フレームの間に点滴スタンドの基部ベース部を挟み入れられ、基部ベース部から上方に延びる支柱が延び、支柱に輸液パックを吊り下げ可能な吊り下げフックが設けられている（下記特許文献２参照）。
【先行技術文献】
【特許文献】
【０００６】
【特許文献１】特開２０１３−３４６３０号公報
【特許文献２】特許第５０４５８５４号公報
【発明の概要】
【発明が解決しようとする課題】
【０００７】
しかしながら、上記の特許文献２に記載の車椅子に点滴スタンド等の機器を連結した状態で、車椅子のハンドルの先端よりも後方に機器の支柱や支柱の吊り下げフックに吊り下げられた輸液パックが配置される。このため、看護師等が車椅子の後方から車椅子のハンドルを握って車椅子を操作する際には、支柱や輸液パック等が支障になるという問題点がある。
【０００８】
本発明は、上記事情に鑑みてなされたものであり、車椅子の操作性を良好としつつ、機器と車椅子とを連結した医療設備システムを提供するものである。
【課題を解決するための手段】
【０００９】
上記目的を達成するために、本発明は以下の手段を採用している。
すなわち、本発明に係る医療設備システムは、幅方向に離間して配置され、それぞれ車輪が設けられた左側本体及び右側本体、前記左側本体及び前記右側本体からそれぞれ後方に向かって延び把持可能な把持部、及び前記左側本体と前記右側本体とに架け渡された着座部、を有した車椅子と、前記車椅子に連結され、物品を支持可能な支持部を有する機器と、前記車椅子と前記機器とを連結する連結部と、を備え、前記支持部は、前記着座部の後面と一対の前記把持部とにより囲まれた後部空間内に配置され、前記連結部は、前記左側本体及び前記右側本体の少なくとも一方の前記把持部の下方に取り付けられ、前記連結部は、前記左側本体の下部又は前記右側本体の下部に取り付けられる車椅子側取付部と、前記機器に着脱可能に取り付けられる機器側取付部と、前記車椅子側取付部と前記機器側取付部とを接続する接続部と、を有し、前記接続部は、前記車椅子側取付部を中心に、前記車椅子側取付部の取り付けられた前記左側本体又は前記右側本体に沿う位置まで回動可能とされていることを特徴とする。
【００１０】
このように構成された医療設備システムでは、機器の支持部は、車椅子の着座部の後面と幅方向に離間した一対の把持部とにより形成された囲まれた後部空間内に配置されている。これにより、車椅子の把持部の後方には機器の支持部は配置されていないため、車椅子の把持部の後方を機器の配置されていない作業空間として確保することができる。よって、看護師等は当該作業空間から車椅子を好適に操作することができるため、車椅子の操作性を良好とすることができる。
また、連結部は、車椅子の左側本体及び右側本体の少なくとも一方の把持部の下方に取り付けられている。よって、把持部の近傍には連結部が取り付けられないため、把持部を把持して車椅子を操作する際に連結部が支障になることがない。
また、機器側取付部を機器から取り外せば、連結部が機器から取り外される。よって、車椅子と機器とが連結された形態及び機器とは連結されずに車椅子単体の形態の両形態をとることができる。
また、接続部を車椅子側取付部を中心に回動させると、接続部は車椅子側取付部の取り付けられた左側本体又は右側本体に沿った位置に配置される。よって、機器が連結部の機器側取付部から取り外された形態において、連結部が左側本体又は右側本体に沿って配置されるため、左側本体と右側本体との間において連結部が邪魔にならない。
【００１７】
また、本発明に係る医療設備システムは、幅方向に離間して配置され、それぞれ車輪が設けられた左側本体及び右側本体、前記左側本体及び前記右側本体からそれぞれ後方に向かって延び把持可能な把持部、及び前記左側本体と前記右側本体とに架け渡された着座部、を有した車椅子と、前記車椅子に連結され、物品を支持可能な支持部を有する機器と、前記車椅子と前記機器とを連結する連結部と、を備え、前記支持部は、前記着座部の後面と一対の前記把持部とにより囲まれた後部空間内に配置され、前記連結部は、前記左側本体及び前記右側本体の少なくとも一方の前記把持部の下方に取り付けられ、前記連結部は、前記左側本体の下部又は前記右側本体の下部に取り付けられる車椅子側取付部と、前記機器に着脱可能に取り付けられる機器側取付部と、前記車椅子側取付部と前記機器側取付部とを接続する接続部と、前記機器を、前記車椅子に連結するための連結位置に案内するガイド機構と、を有し、前記機器は、床面上に設置され、前記支持部が設けられた脚体を有し、前記脚体は、前記支持部を中心に前記床面に沿って放射線状に延びる複数の脚部を有し、前記ガイド機構は、前記脚部のいずれかに当接可能な当接部を有するとともに、前記当接部をいずれかの前記脚体に当接させて前記機器を回動させ前記連結位置に配置する構成であっていてもよい。
また、本発明に係る医療設備システムでは、前記連結部は、前記機器を、前記車椅子に連結するための連結位置に案内するガイド機構をさらに有し、前記機器は、床面上に設置され、前記支持部が設けられた脚体を有し、前記脚体は、前記支持部を中心に前記床面に沿って放射線状に延びる複数の脚部を有し、前記ガイド機構は、前記脚部のいずれかに当接可能な当接部を有するとともに、前記当接部をいずれかの前記脚体に当接させて前記機器を回動させ前記連結位置に配置する構成であってもよい。
また、本発明に係る医療設備システムは、幅方向に離間して配置され、それぞれ車輪が設けられた左側本体及び右側本体、前記左側本体及び前記右側本体からそれぞれ後方に向かって延び把持可能な把持部、及び前記左側本体と前記右側本体とに架け渡された着座部、を有した車椅子と、前記車椅子に連結され、物品を支持可能な支持部を有する機器と、前記車椅子と前記機器とを連結する連結部と、を備え、前記支持部は、前記着座部の後面と一対の前記把持部とにより囲まれた後部空間内に配置され、前記連結部は、前記左側本体及び前記右側本体の少なくとも一方の前記把持部の下方に取り付けられ、前記連結部は、前記左側本体の下部又は前記右側本体の下部に取り付けられる車椅子側取付部と、前記機器に着脱可能に取り付けられる機器側取付部と、前記車椅子側取付部と前記機器側取付部とを接続する接続部と、を有し、前記左側本体及び前記右側本体は、それぞれ前後方向に延びるティッピングレバーを有し、前記車椅子側取付部の横取付体は、前記ティッピングレバーに取り付けられていてもよい。
【００１８】
このように構成された医療設備システムでは、車椅子の支持部が後部空間内に配置されるように、機器は連結部のガイド機構に案内される。よって、機器を連結位置に確実かつ容易に配置して、支持部を後部空間内に配置することができる。
また、当接部に機器の一の脚部を当接させて、機器を回動させることにより、機器は連結位置に配置される。よって、機器を連結位置に容易に配置することができる。
【発明の効果】
【００２１】
本発明に係る医療設備システムによれば、車椅子の操作性を良好としつつ、機器と車椅子とを連結することができる。
【図面の簡単な説明】
【００２２】
【図１】本発明の第一実施形態に係る医療設備システムの構成を示す斜視図である。
【図２】本発明の第一実施形態に係る医療設備システムの構成を示す平面図である。
【図３】本発明の第一実施形態に係る医療設備システムにおいて、車椅子と什器とが連結されていない状態を示す後下部の構成を示す斜視図である。
【図４】本発明の第一実施形態に係る医療設備システムにおいて、車椅子と什器とが連結された状態を示す後下部の構成を示す斜視図である。
【図５】本発明の第一実施形態に係る医療設備システムを構成する連結部を示す背面図である。
【図６】本発明の第一実施形態に係る医療設備システムを構成する連結部を示す平面図である。
【図７】本発明の第一実施形態に係る医療設備システムを構成する連結部を示す斜視図である。
【図８】本発明の第二実施形態に係る医療設備システムの構成を示す斜視図である。
【図９】本発明の第二実施形態に係る医療設備システムの構成を示す背面図である。
【図１０】本発明の第二実施形態に係る医療設備システムの構成を示す平面図である。
【図１１】本発明の第二実施形態に係る医療設備システムを構成する車椅子用連結部及びその周辺部品を示す斜視図である。
【図１２】本発明の第二実施形態に係る医療設備システムを構成する第一リンク部材及び第二リンク部材の動作を示すリンク機構の背面図である。
【図１３】本発明の第二実施形態に係る医療設備システムを構成する第一リンク部材及び第二リンク部材の動作を示す医療設備システムの構成を示す側面図である。
【図１４】本発明の第三施形態に係る医療設備システムの構成を示す側面図である。
【図１５】本発明の第三実施形態に係る医療設備システムの構成を示す平面図である。
【発明を実施するための形態】
【００２３】
（第一実施形態）
以下、本発明の実施形態に係る医療設備システムについて説明する。
図１は、本発明の第一実施形態に係る医療設備システムの構成を示す斜視図である。
図１に示すように、本実施形態の医療設備システム１は、患者が着座可能な車椅子２と、点滴液の充填された輸液パックＵを吊り下げて移動可能な点滴スタンド（機器）３と、車椅子２と点滴スタンド３とを連結するアタッチメント（連結部）１０００と、を備えている。
なお、以下の説明では、患者が車椅子２に対して乗り降りする側を前方とし、車椅子２に対して点滴スタンド３が設けられている側と後方とする。また、前方と後方とを結ぶ前後方向と直交し、車椅子２の幅方向に延びる方向を左右方向とする。
【００２４】
（車椅子）
車椅子２は、前側に設けられ床面上を走行可能な前車輪（車輪）２１と、後側に設けられ床面上を走行可能な後車輪（車輪）２２と、これら前車輪２１及び後車輪２２が設けられ幅方向に離間して配置されたフレーム３０と、を有している。
【００２５】
フレーム３０は、前後方向に延びるとともに車椅子２の幅方向に離間して配置された一対のティッピングレバー３１と、ティッピングレバー３１の後側から上方に向かって延びる起立フレーム部３２と、起立フレーム部３２の上端から後方に向かって屈曲したハンドグリップ３３と、を有している。
【００２６】
図２は、医療設備システム１の構成を示す平面図である。
図２に示すように、ハンドグリップ３３は、平面視において、後車輪２２，２２の左右方向内側、且つティッピングレバー３１の直上に配置されている。
【００２７】
図１，２に示すように、起立フレーム部３２及びハンドグリップ３３は、一体に形成されている。ハンドグリップ３３には、樹脂等で形成され把持可能なグリップ部（把持部）３３Ａが設けられている。
【００２８】
ティッピングレバー３１の前部には、下方に向かって延びる連結杆３１Ｘが設けられている。この連結杆３１Ｘは、ティッピングレバー３１と前車輪２１とを連結している。
【００２９】
起立フレーム部３２の下部には、幅方向外側に向かって延びる連結杆３２Ｘが設けられている。この連結杆３２Ｘは、起立フレーム部３２と後車輪２２とを連結している。
【００３０】
さらに、フレーム３０は、起立フレーム部３２の上下方向途中部分から前方に向かって延びるとともに車椅子２の幅方向に離間して配置された一対の座フレーム部３４と、各座フレーム部３４の前端から下方に向かって延びる脚フレーム部３５と、を有している。脚フレーム部３５の下部は、ティッピングレバー３１の前端に連結されている。
【００３１】
さらに、フレーム３０は、脚フレーム部３５の下端から前方に向かって延びる延出フレーム部３６を有している。フレーム３０の座フレーム部３４、脚フレーム部３５及び延出フレーム部３６は、一体に形成されている。
【００３２】
また、一対の起立フレーム部３２間には、シート状の背面シート３２Ａが設けられている。一対の座フレーム部３４間には、シート状の座シート３４Ａが設けられている。延出フレーム部３６には、左右方向に対向する他の延出フレーム部３６に向かって延びる板状のフットレスト３６Ａが設けられている。
これにより、背面シート３２Ａが座シート３４Ａに着座する患者の背を支持するとともに、フットレスト３６Ａは患者の足の裏を支持する。
これら背面シート３２Ａと、座シート３４Ａとは、着座部を構成している。
【００３３】
さらに、フレーム３０は、起立フレーム部３２の上下方向途中から前方に向かって延びるとともに車椅子２の幅方向に離間して配置された一対のアームレスト３７と、各アームレスト３７前端から下方に向かって延びる前フレーム部３８と、を有している。アームレスト３７は、座フレーム部３４よりも上方に配置されている。前フレーム部３８の上下方向途中部は、座フレーム部３４に連結されている。また、前フレーム部３８の下端は、ティッピングレバー３１の前部に連結されている。アームレスト３７及び前フレーム部３８は、一体に形成されている。
【００３４】
上記のフレーム３０において、幅方向一方側のティッピングレバー３１と、幅方向他方側の座フレーム部３４とは第一リンク杆４１にて連結されている。また、幅方向他方側のティッピングレバー３１と、幅方向一方側の座フレーム部３４とは第二リンク杆４２にて連結されている。これら第一リンク杆４１と第二リンク杆４２とは、長さ方向中央で、前後方向に沿うピン４３により、ピン４３を中心として回動可能に連結されている。
【００３５】
上記に示すフレーム３０において、左側に配置されたティッピングレバー３１と、起立フレーム部３２と、座フレーム部３４と、脚フレーム部３５と、延出フレーム部３６と、アームレスト３７と、前フレーム部３８とが、左側本体を構成している。同様に、右側に配置されたティッピングレバー３１と、起立フレーム部３２と、座フレーム部３４と、脚フレーム部３５と、延出フレーム部３６と、アームレスト３７と、前フレーム部３８とが、右側本体を構成している。
【００３６】
（点滴スタンド）
点滴スタンド３は、床面上を走行可能な脚ブロック（脚体）９０と、脚ブロック９０に支持されて上方に延びる支柱部（支持部）９４と、支柱部９４の上端に設けられ、輸液パック（物品）Ｕを吊り下げ支持する吊り下げ具９９と、を有している。
【００３７】
脚ブロック９０は、支柱部９４の下端を支持するボス部９０Ａの外周側から放射線状に延びる５本の脚フレーム（脚部）９１を有している。各脚フレーム９１の先端には、キャスタ９２が取り付けられている。これにより、脚ブロック９０は、キャスタ９２を介して床面上を移動可能とされている。
【００３８】
支柱部９４は、下端が脚ブロック９０に取り付けられた中空状のアウタ支柱９４Ａと、上端に輸液吊り下げ具９９が取り付けられた中空状のインナ支柱９４Ｂと、を有している。
インナ支柱９４Ｂの下部は、アウタ支柱９４Ａの上部に摺動自在に嵌入されている。
【００３９】
アウタ支柱９４Ａには、荷掛けフットアタッチメント９６及びハンドルアタッチメント９７が昇降調整可能に設けられている。
【００４０】
（アタッチメント）
図３は、医療設備システム１において、車椅子２と点滴スタンド３とが連結されていない状態を示す後下部の構成を示す斜視図である。図４は、医療設備システム１において、車椅子２と点滴スタンド３が連結された状態を示す後下部の構成を示す斜視図である。図５は、医療設備システム１を構成するアタッチメント１０００を示す背面図である。図６は、医療設備システム１を構成するアタッチメント１０００を示す平面図である。図７は、医療設備システム１を構成するアタッチメント１０００を示す斜視図である。
図３，４に示すように、アタッチメント１０００は、車椅子２のティッピングレバー３１に取り付けられる横取付体（車椅子側取付部）１１００と、起立フレーム部３２に取り付けられる縦取付体（車椅子側取付部）１２００と、横取付体１１００から延びる連結パイプ（接続部）１３００と、連結パイプ１３００の先端に設けられた点滴スタンドクランプ（機器側取付部）１４００と、点滴スタンド３をガイドするガイドフレーム（ガイド機構）１５００と、を有している。
【００４１】
図５〜７に示すように、横取付体１１００は、連結パイプ１３００が設けられる基部１１１０と、基部１１１０から側方に延びティッピングレバー３１の上部に配置される延出壁部１１２０と、延出壁部１１２０の端部から下方に延びティッピングレバー３１の側面に沿って配置される下向き壁部１１３０と、を有している。
【００４２】
基部１１１０の側面１１１０Ａと下向き壁部１１３０との間は、Ｖ字状に形成された押さえプレート１１４０が配置されている。押さえプレート１１４０は、延出壁部１１２０の下方に配置されている。
【００４３】
また、基部１１１０には、上下方向に取付孔（不図示）が形成されている。この取付孔から挿通された螺子１１１０Ｙは押さえプレート１１４０に形成された貫通孔（不図示）に挿通されて、押さえプレート１１４０の下部に設けられた雌ネジ部１１４０Ｍに螺合されている。これにより、押さえプレート１１４０は延出壁部１１２０側に引き寄せられて、ティッピングレバー３１は基部１１１０の側面１１１０Ａと、延出壁部１１２０と、下向き壁部１１３０と、押さえプレート１１４０とにより挟持されている。このようにして、アタッチメント１０００の横取付体１１００は、ティッピングレバー３１に取り付けられている。
【００４４】
縦取付体１２００は、起立フレーム部３２の後側に配置される後プレート部１２００Ａと、起立フレーム部３２の前側に配置される前プレート部１２００Ｂと、を有している。
【００４５】
後プレート部１２００Ａは、横取付体１１００の延出壁部１１２０の下面から前方に向かうにしたがって次第に上方に向かうように延びる傾斜壁部１２１０と、傾斜壁部１２１０の左右両端からそれぞれ前方に延び起立フレーム部３２の側面に沿って配置される前向き壁部１２２０と、一方の前向き壁部１２２０の端部から側方に延びる後取付壁部１２３０と、を有している。後取付壁部１２３０には、前後方向に貫通する取付孔１２３０Ａが形成されている。
【００４６】
前プレート部１２００Ｂは、他方の前向き壁部１２２０から対向する（一方の）前向き壁部１２２０側に向かって延びる折曲壁部１２２０Ａと、折曲壁部１２２０Ａの端部から前方に向かって延びる側壁部１２２０Ｂと、を有している。
【００４７】
さらに、前プレート部１２００Ｂは、側壁部１２２０Ｂの前端から一方の前向き壁部１２２０側に向かうにしたがって次第に前方に向かうように形成された第一折曲壁部１２４０と、第一折曲壁部１２４０の端部から一方の前向き壁部１２２０側に向かうにしたがって次第に後方に向かうように形成された第二折曲壁部１２５０と、を有している。換言すると、第一折曲壁部１２４０と第二折曲壁部１２５０とにより、平面視で逆Ｖ字状に形成されている。
【００４８】
さらに、前プレート部１２００Ｂは、第二折曲壁部１２５０の端部から側方に延びる前取付壁部１２６０を有している。前取付壁部１２６０には、前後方向に貫通する取付孔１２６０Ａが形成されている。
【００４９】
後取付壁部１２３０の取付孔１２３０Ａから挿通されたボルト１２３０Ｘは、前取付壁部１２６０の取付孔１２６０Ａに挿通されナット１２６０Ｚに螺合されている。これにより、後プレート部１２００Ａと前プレート部１２００Ｂとは互いに引き寄せられて、起立フレーム部３２は後プレート部１２００Ａと前プレート部１２００Ｂとにより挟持される。このようにして、アタッチメント１０００の縦取付体１２００は、起立フレーム部３２に取り付けられている。
【００５０】
横取付体１１００の基部１１１０には、延出壁部１１２０と反対側に向かって延び前後方向に離間して配置された一対の軸支持壁部１１１０Ｃ，１１１０Ｃが設けられている。これら軸支持壁部１１１０Ｃ，１１１０Ｃの下部どうしは、連結壁部１１１０Ｒにより連結されている。これら軸支持壁部１１１０Ｃ，１１１０Ｃ間には、連結パイプ１３００の一端１３１０Ａが配置されている。
【００５１】
軸支持壁部１１１０Ｃには、前後方向に貫通する取付孔１１１０Ｄが形成されている。連結パイプ１３００の下部には、前後方向に貫通孔（不図示）が形成されている。一方の取付孔１１１０Ｄから挿通された前後方向を向く軸部１１１０Ｊが連結パイプ１３００の貫通孔に挿通され、他方の取付孔１１１０Ｄに螺合されている。これより、連結パイプ１３００は、前後方向を向く軸部１１１０Ｊを中心に回動可能として、軸支持壁部１１１０Ｃ，１１１０Ｃに取り付けられている。
【００５２】
連結パイプ１３００は、一端１３１０Ａが軸部１１１０Ｊに回動可能に支持された第一パイプ部１３１０と、第一パイプ部１３１０の他端から湾曲した湾曲パイプ部１３２０と、湾曲パイプ部１３２０から第一パイプ部１３１０と直交する方向に延びる第二パイプ部１３３０と、を有している。第一パイプ部１３１０、湾曲パイプ部１３２０及び第二パイプ部１３３０は、一体に形成されている。
【００５３】
図５に示すように、第一パイプ部１３１０の一端１３１０Ａには、湾曲パイプ部１３２０から離間する方向に付勢する付勢部１３１０Ｆが設けられている。一端１３１０Ａには、外側（湾曲パイプ部１３２０から離間する側）に向かって突出する突出部１３１０Ｘが設けられている。
【００５４】
上述のとおり、連結パイプ１３００は、軸部１１１０Ｊを中心として回動可能とされている。本実施形態では、図７に実線（図５に二点鎖線）で示すように、第二パイプ部１３３０が左側の後車輪２２（図３参照）に沿うように配置された状態から、図７に二点鎖線（図５に実線）で示すように、第二パイプ部１３３０が左右の後車輪２２，２２（図２参照）の間に配置された状態にまで回動可能とされている。
【００５５】
図５に二点鎖線で示すように、第二パイプ部１３３０が左側の後車輪２２に沿うように配置された状態では、第一パイプ部１３１０の一端１３１０Ａに設けられた突出部１３１０Ｘは、横取付体１１００の連結壁部１１１０Ｒに当接している。このとき、付勢部１３１０Ｆにより外側（下方）に付勢された突出部１３１０Ｘは、連結壁部１１１０Ｒを押圧している。これにより、連結パイプ１３００において、第二パイプ部１３３０が左側の後車輪２２に沿った状態が維持される。
【００５６】
第二パイプ部１３３０の端部には、点滴スタンドクランプ１４００が設けられている。点滴スタンドクランプ１４００は、Ｕ字状に形成されたクランプ部１４１０と、クランプ部１４１０に挿通されたボルト１４２０と、を有している。
【００５７】
図６に示すように、クランプ部１４１０は、支柱部９４に沿って配置された底部１４１１と、底部１４１１の両端から立ち上がる側壁部１４１２，１４１３と、を有している。
【００５８】
側壁部１４１３には、取付孔１４１３Ｘが形成されている。取付孔１４１３Ｘに挿通されたボルト１４２０が締め付けられることに、ボルト１４２０の先端１４２０Ｚが支柱部９４を反対側の側壁部１４１２側に押圧している。これにより、支柱部９４は、側壁部１４１２と、底部１４１１と、ボルト１４２０の先端１４２０Ｚとにより挟持されている。このようにして、アタッチメント１０００の点滴スタンドクランプ１４００は、支柱部９４に取り付けられる。
【００５９】
一方、ボルト１４２０の締め付けを緩めれば、点滴スタンドクランプ１４００は支柱部９４から取り外される。このようにして、アタッチメント１０００の点滴スタンドクランプ１４００は、支柱部９４に対して着脱可能に取り付けられている。
【００６０】
ガイドフレーム１５００は、横取付体１１００の基部１１１０の下部から後方に延びる前後向きガイド部１５１０と、前後向きガイド部１５１０の後端から下方に延びる後鉛直ガイド部（当接部）１５２０と、を備えている。
【００６１】
さらに、ガイドフレーム１５００は、後鉛直ガイド部１５２０の下端から車椅子２の幅方向内側に向かうにしたがって次第に前方に向かうように延びる斜行ガイド部１５３０と、を備えている。
【００６２】
さらに、ガイドフレーム１５００は、斜行ガイド部１５３０の前端から上方に延びる前鉛直ガイド部１５４０と、前鉛直ガイド部１５４０の上端から前方に延びて先端が基部１１１０の下部に取り付けられた内側ガイド部１５５０と、を有している。
【００６３】
次に、上記のように構成された医療設備システム１における車椅子２と点滴スタンド３との連結方法について説明する。
【００６４】
まず、連結パイプ１３００を、図７に実線で示すように、第二パイプ部１３３０が左側の後車輪２２（図３参照）に沿うように配置された状態から、軸部１１１０Ｊを中心として回動させて、図３に示すように、第二パイプ部１３３０が左右の後車輪２２，２２の間に配置された状態にまで回動させる。
【００６５】
そして、看護師等の利用者は、点滴スタンド３の支柱部９４を持って、点滴スタンド３を車椅子２の後方から、左右一対の後車輪２２，２２間において前方に移動させる。
【００６６】
ここで、一の脚フレーム９１Ａの前面９１Ｚがガイドフレーム１５００の後鉛直ガイド部１５２０に当接する場合には、後鉛直ガイド部１５２０を中心として、脚フレーム９１Ａの隣に配置され前方を向く脚フレーム９１Ｂが前方に移動するように、点滴スタンド３を回動させる。本実施形態では、後鉛直ガイド部１５２０を中心として、点滴スタンド３を平面視反時計回りに回動させる。
【００６７】
すると、図３に二点鎖線で示すように、脚フレーム９１Ｂ及び脚フレーム９１Ｂに隣接する脚フレーム９１Ｃが一対の後車輪２２,２２間に配置されるように、点滴スタンド３を前方に移動させる。換言すると、支柱部９４を背面シート３２Ａの背面と左右のグリップ部３３Ａ，３３Ａとにより囲まれた後部空間Ｓ１（図２参照）内に配置するように、つまり点滴スタンドクランプ１４００の底部１４１１と、側壁部１４１２，１４１３との間に配置するように、点滴スタンド３を前方に移動させる。
【００６８】
そして、点滴スタンドクランプ１４００のボルト１４２０を締め付けて、ボルト１４２０の先端１４２０Ｚと、底部１４１１と、側壁部１４１２とにより支柱部９４を挟持する。これにより、車椅子２と点滴スタンド３とは、アタッチメント１０００を介して連結される。この連結状態における点滴スタンド３の位置が、連結位置とされている。
【００６９】
この状態で、図４に示すように、脚フレーム９１Ｂの先端及び脚フレーム９１Ｃの先端が前方を向くように配置される。詳細には、脚フレーム９１Ｂの先端は、前方と左方との間を向いている。脚フレーム９１Ｃの先端は、前方と右方との間を向いている。脚フレーム９１Ｃに隣接する脚フレーム９１Ｄの先端は、後方と右方との間を向いている。脚フレーム９１Ｄに隣接する脚フレーム９１Ｅの先端は、後方を向いている。脚フレーム９１Ａの先端は、後方と左方との間を向いている。
【００７０】
一方、利用者が、点滴スタンド３の支柱部９４を持って、点滴スタンド３を車椅子２の後方から、左右一対の後車輪２２，２２間において前方に移動させた際に、脚フレーム９１がガイドフレーム１５００に当接せずに、図２に二点波線で示すように、脚フレーム９１Ｂの先端及び脚フレーム９１Ｃの先端が前方を向くように配置されている場合には、点滴スタンド３をそのまま前方に移動させれば、連結位置に配置される。
【００７１】
このように構成された医療設備システム１では、点滴スタンド３の支柱部９４は、車椅子２の背面シート３２Ａの後面と幅方向に離間した一対のグリップ部３３Ａ，３３Ａとにより囲まれた後部空間Ｓ１内に配置されている。これにより、車椅子２のグリップ部３３Ａの後方における点滴スタンド３の配置されていない作業空間（図２参照）Ｓ２を大きく確保することができるため、看護師等は当該作業空間Ｓ２から車椅子２を操作することができる。よって、車椅子２の操作性を良好とすることができる。
【００７２】
また、アタッチメント１０００は、車椅子２のグリップ部３３Ａの下方に配置されたティッピングレバー３１及び起立フレーム部３２の下部に取り付けられている。よって、グリップ部３３Ａの近傍にはアタッチメント１０００が取り付けられないため、グリップ部３３Ａを把持して車椅子２を操作する際にアタッチメント１０００が支障になることがない。
【００７３】
また、点滴スタンドクランプ１４００のボルト１４２０を緩めれば、アタッチメント１０００が点滴スタンド３から取り外される。よって、車椅子２と点滴スタンド３とが連結された形態及び点滴スタンド３とは連結されずに車椅子２単体の形態の両形態をとることができる。
【００７４】
また、連結パイプ１３００を回動させると、第二パイプ部１３３０は左側の後車輪２２に沿うように配置される。よって、点滴スタンド３がアタッチメント１０００から取り外された形態において、アタッチメント１０００が左側の後車輪２２に沿って配置されるため、左右の後車輪２２，２２の間においてアタッチメント１０００が邪魔にならない。
【００７５】
また、車椅子２の支柱部９４が後部空間Ｓ１内に配置されるように、点滴スタンド３はアタッチメント１０００のガイドフレーム１５００に案内される。よって、点滴スタンド３を連結位置に確実かつ容易に配置して、支柱部９４を後部空間Ｓ１内に配置することができる。
【００７６】
また、後鉛直ガイド部１５２０に点滴スタンド３の脚フレーム９１を当接させて、点滴スタンド３を回動させることにより、点滴スタンド３は連結位置に配置される。よって、点滴スタンド３を連結位置に容易に配置することができる。
【００７７】
（第二実施形態）
以下、本発明の第二実施形態に係る医療設備システムについて、主に図８〜１３を用いて説明する。
この実施形態において、前述した実施形態で用いた部材と同一の部材には同一の符号を付して、その説明を省略する。
【００７８】
図８は、本実施形態に係る医療設備システム１Ｘの構成を示す斜視図である。
図８に示すように、本実施形態に係る医療設備システム１Ｘを構成するアタッチメント４は、車椅子２に連結されるリンク機構１００と、点滴スタンド３に連結される連結体１６０と、を有している。
【００７９】
（リンク機構）
図９は、本実施形態に係る医療設備システム１Ｘの構成を示す背面図である。図１０は、本実施形態に係る医療設備システム１Ｘの構成を示す平面図である。図１１は、本実施形態に係る医療設備システム１Ｘを構成するアタッチメント４及びその周辺部品を示す斜視図である。
図９〜１１に示すように、リンク機構１００は、幅方向一方側のティッピングレバー３１に設けられた第一リンク部材１０１と、幅方向他方側のティッピングレバー３１に設けられた第二リンク部材１０２と、を有している。
【００８０】
ここで、ティッピングレバー３１の後部には、第一リンク部材１０１及び第二リンク部材１０２を取り付けるための固定体６０が設けられている。固定体６０は、ティッピングレバー３１における起立フレーム部３２が設けられている部分よりも後方に設けられている。
【００８１】
図１１に示すように、固定体６０は、ティッピングレバー３１を左右方向に挟んで対向配置される一対の対向壁部６１と、これら対向壁部６１を連結するとともにティッピングレバー３１の外面に沿って配置された連結壁部６２と、一方の対向壁部６１から延びる延出壁部６３と、を有している。さらに、固定体６０は、連結壁部６２の両端からティッピングレバー３１側とは反対側で上方に屈曲して設けられた軸受壁部６４と、を有している。
【００８２】
延出壁部６３には、貫通孔６３Ａが形成されている。この貫通孔６３Ａにユリアネジ６３Ｘが挿通されている。挿通されたユリアネジ６３Ｘが、ティッピングレバー３１の側面を押圧している。これにより、固定体６０は、他方の対向壁部６１及び連結壁部６２に沿ってティッピングレバー３１を配置した状態で、ティッピングレバー３１に取り付けられている。
また、各軸受壁部６４には、後述する第一リンク部材１０１及び第二リンク部材１０２の取付用の貫通孔である外軸孔６４Ａが形成されている。
【００８３】
（第一リンク部材）
第一リンク部材１０１は、固定体６０に対して回動可能に連結され、固定体６０が設けられたティッピングレバー３１側から反対側のティッピングレバー３１側に向かうにしたがって次第に斜め上方に延びるように配置されたリンクアーム１１０と、これら固定体６０とリンクアーム１１０とを回動可能に連結する第一軸部１７１と、を有している。
【００８４】
（リンクアーム）
リンクアーム１１０は、棒状のアーム本体１１１と、アーム本体１１１の基端側に設けられた第一軸受部１１２と、アーム本体１１１の先端側に設けられた第二軸受部１１６と、を有している。
【００８５】
第一軸受部１１２は、アーム本体１１１に設けられた基部１１３と、基部１１３の両端からティッピングレバー３１側にそれぞれ屈曲して設けられた軸受片１１４と、を有している。この軸受片１１４には、後述する第一軸部１７１の取付用の貫通孔である内軸孔１１４Ａが形成されている。
【００８６】
リンクアーム１１０の各軸受片１１４は、それぞれ固定体６０の軸受壁部６４の内側に配置されている。軸受壁部６４の外軸孔６４Ａは、軸受片１１４の内軸孔１１４Ａと連通するように配置されている。これら外軸孔６４Ａ、内軸孔１１４Ａにはティッピングレバー３１の延在方向、つまり前後方向に向かって延びる第一軸部１７１が挿通されている。
これにより、リンクアーム１１０は、固定体６０に第一軸部１７１を中心に回動可能に支持されている。つまり、リンクアーム１１０の第一軸受部１１２は、固定体６０を介してティッピングレバー３１に回動可能に設けられている。
また、固定体６０はティッピングレバー３１の後部に設けられており、第一リンク部材１０１は車椅子２の後側に設けられている。
【００８７】
第二軸受部１１６は、アーム本体１１１に設けられた基部１１７と、基部１１７の両端から対向する第二リンク部材１０２側にそれぞれ屈曲して設けられた軸受片１１８と、を有している。この軸受片１１８には、第二リンク部材１０２の取付用の貫通孔である軸孔１１８Ａが形成されている。
【００８８】
なお、第二リンク部材１０２の構成は、第一リンク部材１０１の構成を左右反転したものである。第二リンク部材１０２は、固定体６０に対して第二軸部１７２を中心に回動可能に支持されている。第二リンク部材１０２の他の構成については、説明を省略する。
【００８９】
これら第一リンク部材１０１と第二リンク部材１０２とは、それぞれの第二軸受部１１６の軸受片１１８を隣接させるようにして、組み付けられている。詳細には、第一リンク部材１０１の一対の軸受片１１８うち一方の軸受片１１８内側に、第二リンク部材１０２の一対の軸受片１１８のうち一方の軸受片１１８が配置されている。また、第一リンク部材１０１の他方の軸受片１１８の外側に、第二リンク部材１０２の他方の軸受片１１８が配置されている。また、第一リンク部材１０１と第二リンク部材１０２とは、それぞれの軸孔１１８Ａが連通するように配置されている。
【００９０】
ここで、点滴スタンド３の支柱部９４のアウタ支柱９４Ａには、リンク機構１００を取り付けるためのスタンド取付部７０が設けられている。このスタンド取付部７０は、アウタ支柱９４Ａに取り付けられるジョイント部７０Ａと、連結体１６０に回動可能に支持される軸受部８０Ａと、を有している。
【００９１】
ジョイント部７０Ａは、アウタ支柱９４Ａを前後方向に挟んで対向配置される一対の対向壁部７１と、これら対向壁部７１を連結するとともにアウタ支柱９４Ａの外面に沿って配置された連結壁部７２と、一方の対向壁部７１から延びる延出壁部７３と、を有している。
【００９２】
延出壁部７３には、貫通孔であるネジ孔７３Ａが形成されている。このネジ孔７３Ａにユリアネジ７３Ｘが挿通されている。挿通されたユリアネジ７３Ｘが、アウタ支柱９４Ａの外面を押圧している。これにより、ジョイント部７０Ａは、他方の対向壁部７１及び連結壁部７２に沿ってアウタ支柱９４Ａを配置した状態で、アウタ支柱９４Ａに取り付けられている。
【００９３】
軸受部８０Ａは、ジョイント部７０Ａの他方の対向壁部７１に設けられた基部８１と、基部８１の両端からリンク機構１００側、つまり後側にそれぞれ屈曲して設けられた軸受片８２と、を有している。この軸受片８２には、後述する連結体１６０の取付用の貫通孔である内軸孔８２Ａが形成されている。
【００９４】
（連結体）
連結体１６０は、スタンド取付部７０に回動可能に取り付けられている。また、第一リンク部材１０１及び第二リンク部材１０２は、連結体１６０を回動可能に支持している。
【００９５】
連結体１６０は、スタンド取付部７０の軸受部８０Ａの各軸受片８２の外側に配置された軸受壁部１６１と、これら軸受壁部１６１を連結する連結壁部１６２と、連結壁部１６２の後端及び前後方向中間部から垂下する垂下壁部１６３と、を有している。この軸受壁部１６１には、貫通孔である外軸孔１６１Ａが形成されている。垂下壁部１６３には、貫通孔である外軸孔１６３Ａが形成されている。
【００９６】
連結体１６０の軸受壁部１６１、連結壁部１６２及び垂下壁部１６３で囲まれた空間内の後側には、上記のように組み付けられた第一リンク部材１０１の第二軸受部１１６及び第二リンク部材１０２の第二軸受部１１６が配置されている。換言すると、第一リンク部材１０１及び第二リンク部材１０２それぞれの第二軸受部１１６の軸受片１１８は、それぞれ連結体１６０の軸受壁部１６１の内側に配置されている。連結体１６０の外軸孔１６３Ａは、第一リンク部材１０１の軸孔１１８Ａ及び第二リンク部材１０２の軸孔１１８Ａとそれぞれ連通するように配置されている。これら外軸孔１６３Ａ、軸孔１１８Ａには前後方向に向かって延びる第三軸部１７３が挿通されている。これにより、第一リンク部材１０１及び第二リンク部材１０２は、第三軸部１７３を中心に互いに回動可能であるとともに、連結体１６０に対しても第三軸部１７３を中心に回動可能とされている。また、第一リンク部材１０１及び第二リンク部材１０２は、連結体１６０及び第三軸部１７３により、互いに連結されている。
【００９７】
連結体１６０の軸受壁部１６１、連結壁部１６２及び垂下壁部１６３で囲まれた空間内の前側には、スタンド取付部７０の軸受部８０Ａが配置されている。換言すると、スタンド取付部７０の軸受部８０Ａの各軸受片８２は、それぞれ連結体１６０の軸受壁部１６１の内側に配置されている。軸受壁部１６１の外軸孔１６１Ａは、軸受片８２の内軸孔８２Ａと連通するように配置されている。これら外軸孔１６１Ａ、内軸孔８２Ａには左右方向に向かって延びる第四軸部１７４が挿通されている。これにより、連結体１６０は、ジョイント部７０Ａに第四軸部１７４を中心に回動可能とされている。つまり、連結体１６０を介して連結された第一リンク部材１０１及び第二リンク部材１０２は、点滴スタンド３のアウタ支柱９４Ａに対して、第四軸部１７４を中心に回動可能とされている。
【００９８】
このようにして、点滴スタンド３は、アタッチメント４を介して、車椅子２の後部に配置されている。本実施形態では、点滴スタンド３の脚ブロック９０のうち前側の脚フレーム９１は、一対のティッピングレバー３１間配置されている。また、点滴スタンド３の支柱部９４は、一対のティッピングレバー３１間配置されている。
【００９９】
次に、上記のように構成され、アタッチメント４を介して車椅子２と点滴スタンド３とが連結された医療設備システム１Ｘにおける折り畳み動作について説明する。
図１２は、本実施形態に係る医療設備システム１Ｘを構成する第一リンク部材１０１及び第二リンク部材１０２の動作を示すリンク機構１００の背面図である。図１３は、本実施形態に係る医療設備システム１Ｘを構成する第一リンク部材１０１及び第二リンク部材１０２の動作を示す医療設備システム１Ｘの側面図である。
まず、図８に示すように、車椅子２は、幅方向に広げられて、患者が着座可能な着座状態とされている。この状態（図１２示す実線参照）から、アタッチメント４のジョイント部７０Ａのネジ孔７３Ａに挿通されたユリアネジ７３Ｘを取り外す。これにより、点滴スタンド３が車椅子２及びアタッチメント４から取り外される。
ここで、図１２に示すように、第一リンク部材１０１の第一軸受部１１２から第二リンク部材１０２の第一軸受部１１２までの離間距離（以下、「リンク部材の支持部側離間距離」とする）をＬ１とする。また、第一リンク部材１０１と第二リンク部材１０２とのなす角（以下、「リンク部材形成角」とする）Ａ１とする。
【０１００】
次に、例えば一対のハンドグリップ３３に、幅方向内側に向かって折り畳むための力を加える。すると、この力が、ハンドグリップ３３と一体に形成された起立フレーム部３２、及び起立フレーム部３２と連結されたティッピングレバー３１、座フレーム部３４並びにアームレスト３７に伝達される。伝達された力は、ティッピングレバー３１及び座フレーム部３４に連結された第一リンク杆４１及び第二リンク杆４２に対して幅方向内側に向かう力として作用する。これにより、第一リンク杆４１及び第二リンク杆４２は、ピン４３を中心に互いに近接する方向に回動する。
【０１０１】
この際、上記の近接する動作にともなって、第一リンク部材１０１及び第二リンク部材１０２は、それぞれ対応するティッピングレバー３１に取り付けられた固定体６０に対して、第一軸部１７１、第二軸部１７２を中心にティッピングレバー３１に対して起立する方向に回動する（図１２に示す二点鎖線参照）。この第一リンク部材１０１及び第二リンク部材１０２のティッピングレバー３１に対する回動とともに、第一リンク部材１０１及び第二リンク部材１０２は、それぞれ連結体１６０に対して、第三軸部１７３を中心に、リンク部材形成角をＡ１からＡ２に小さくするように回動する。このようにして、第一リンク部材１０１と第二リンク部材１０２とは、互いに近接する方向に相対移動する。
この折り畳み状態におけるリンク部材の支持部側離間距離Ｌ２は、着座状態におけるリンク部材の支持部側離間距離Ｌ１よりも短い。
【０１０２】
この折り畳み状態からハンドグリップ３３に、幅方向外側に向かって、車椅子２を幅方向に広げるための力を加えると、第一リンク部材１０１及び第二リンク部材１０２は、上記とは逆に回動する。つまり、第一リンク部材１０１と第二リンク部材１０２とは互いに離間する方向に相対移動して、着座状態に戻る。
【０１０３】
次に、上記のように構成され、アタッチメント４を介して車椅子２に点滴スタンド３を連結させた医療設備システム１Ｘが床面上に形成された進行方向前方の段差を乗り上げる際の動作について説明する。
【０１０４】
車椅子２が段差を乗り上げる際には、ハンドグリップ３３又はティッピングレバー３１の後部に下方向きの力を加える。これにより、車椅子２の前側が持ち上がり、前車輪２１が段差を乗り上げようとする。
【０１０５】
この際に、第一リンク部材１０１、第二リンク部材１０２及び連結体１６０は一体となって、点滴スタンド３の支柱部９４に設けられたスタンド取付部７０に対して、第四軸部１７４を中心に、アタッチメント４の前方を上方に向けるように回動する。これにより、ティッピングレバー３１は後方から前方に向かうにしたがって上方に向かうように傾斜し、ティッピングレバー３１の前部に設けられた前車輪２１が段差を乗り上げる。
【０１０６】
前車輪２１が段差を乗り上げ、後車輪２２及び点滴スタンド３が段差を乗り上げようとする際には、第一リンク部材１０１、第二リンク部材１０２及び連結体１６０は一体となって、点滴スタンド３の支柱部９４及び支柱部９４に設けられたスタンド取付部７０に対して、第四軸部１７４を中心に、点滴スタンド３側を上方に向けるように回動する。これにより、後車輪２２及び点滴スタンド３が段差を乗り上げる。
【０１０７】
このように構成された医療設備システム１Ｘにおいても、点滴スタンド３の支柱部９４は、車椅子２の背面シート３２Ａの後面と幅方向に離間した一対のグリップ部３３Ａ，３３Ａとにより囲まれた後部空間Ｓ１内に配置されている。これにより、車椅子２のグリップ部３３Ａの後方における点滴スタンド３の配置されていない作業空間（図２参照）Ｓ２を大きく確保することができるため、看護師等は当該作業空間Ｓ２から車椅子２を操作することができる。よって、車椅子２の操作性を良好とすることができる。
【０１０８】
また、点滴スタンド３のアウタ支柱９４Ａに設けられたスタンド取付部７０は、アタッチメント４の連結体１６０に連結されている。
また、連結体１６０は、第一リンク部材１０１及び第二リンク部材１０２それぞれの第二軸受部１１６に連結支持されている。さらに、第一リンク部材１０１及び第二リンク部材１０２それぞれの第一軸受部１１２は、車椅子２の左右のティッピングレバー３１それぞれに設けられた固定体６０に連結されている。つまり、点滴スタンド３は、アタッチメント４を介して、車椅子２の幅方向に離間して配置された一対のティッピングレバー３１に支持されている。よって、車椅子２は、アタッチメント４を介して、点滴スタンド３を安定的に支持することができる。
【０１０９】
また、車椅子２の一対のティッピングレバー３１が互いに幅方向に近接離間するとともに、ティッピングレバー３１に設けられた第一リンク部材１０１及び第二リンク部材１０２は、リンク部材形成角をＡ１からＡ２に変更して、リンク部材の支持部側離間距離をＬ１からＬ２に変更する。
つまり、アタッチメント４は、一対のティッピングレバー３１が幅方向に近接する際には、第一リンク部材１０１と第二リンク部材１０２とは、互いにリンク部材の支持部側離間距離を短くするように相対移動する。また、アタッチメント４は、一対のティッピングレバー３１が幅方向に離間する際には、第一リンク部材１０１と第二リンク部材１０２とは、互いにリンク部材の支持部側離間距離を長くするように相対移動する。よって、アタッチメント４は、車椅子２の折り畳み動作に追従することができる。
【０１１０】
また、一対のティッピングレバー３１が互いに幅方向に近接するにともない、第一リンク部材１０１、第二リンク部材１０２は、それぞれ対応するティッピングレバー３１に対して回動する。これにより、リンク部材の支持部側離間距離は短くなる。この際に、連結体１６０により連結された第一リンク部材１０１の第二軸受部１１６と第二リンク部材１０２の第二軸受部１１６とは、第三軸部１７３を中心に回動して、第一リンク部材１０１と第二リンク部材１０２とを互いに近接させる。よって、車椅子２の折り畳み動作に追従して、第一リンク部材１０１と第二リンク部材１０２とは、それぞれ第二軸受部１１６を連結体１６０で連結されつつ、互いに近接するように折り畳まれる。
【０１１１】
また、アタッチメント４を介して車椅子２と点滴スタンド３とが連結された状態で、車椅子２は点滴スタンド３に対して幅方向に向かう第四軸部１７４を中心に回動する。よって、例えば床の段差を乗り上げる際には、車椅子２を上方に上げるように回動した後に、点滴スタンド３を上方に上げるように回動して、アタッチメントを介して連結された車椅子２と点滴スタンド３とが、段差を乗り上げることができる。
【０１１２】
また、第一リンク部材１０１及び第二リンク部材１０２は、ティッピングレバー３１の後側且つ車椅子２の後側に設けられているため、アタッチメント４を介して車椅子２に連結される点滴スタンド３を車椅子２の後部に配置することができる。よって、車椅子２の着座者の前方を開放した状態で、車椅子２に機器を連結することができる。したがって、看護師は車椅子２の前側に立って、車椅子２に着座する患者に処置を施すことができる。
【０１１３】
また、点滴スタンド３を使用しない場合には、アタッチメント４のジョイント部７０Ａのネジ孔７３Ａに挿通されたユリアネジ７３Ｘを取り外して、点滴スタンド３を医療設備システム１Ｘから取り外せばよい。一方、点滴スタンド３を使用する場合には、アタッチメント４のジョイント部７０Ａのネジ孔７３Ａに、ユリアネジ７３Ｘを挿通させる。このユリアネジ７３Ｘでアウタ支柱９４Ａの外面を押圧する。これにより、ジョイント部７０Ａは点滴スタンド３のアウタ支柱９４Ａに取り付けられている。このように、ユリアネジ７３Ｘの取り付け、取り外しのみで、点滴スタンドを車椅子２に着脱可能とすることができるため、作業性を良好とすることできる。
【０１１４】
（第三実施形態）
以下、本発明の第三実施形態に係る医療設備システム２０１について、主に図１４、図１５を用いて説明する。
この実施形態において、前述した実施形態で用いた部材と同一の部材には同一の符号を付して、その説明を省略する。
【０１１５】
図１４は、第三実施形態に係る医療設備システム２０１の構成を示す側面図である。図１５は、第三実施形態に係る医療設備システム２０１の構成を示す平面図である。
図１４及び図１５に示すように、医療設備システム２０１では、アタッチメント２０４が車椅子２の起立フレーム部３２の下部に連結されている。
【０１１６】
起立フレーム部３２には、固定体２６０が取り付けられている。この固定体２６０に、第一リンク部材３０１及び第二リンク部材３０２の第一軸受部３１２が、上下方向を向く第一軸部３７１、第二軸部３７２を中心に回動可能に設けられている。この第一リンク部材３０１、第二リンク部材３０２は、固定体２６０からそれぞれ対向する第二リンク部材３０２、第一リンク部材３０１側に向かうにしたがって次第に斜め後方に延びるように配置されている。
【０１１７】
また、第一リンク部材３０１の第二軸受部３１６と第二リンク部材３０２の第二軸受部３１６とは、連結体３６０により、上下方向を向く第三軸部３７３を中心に回動可能に連結されている。この連結体３６０は、点滴スタンド３のアウタ支柱９４Ａに設けられたスタンド取付部３７０に連結されている。
【０１１８】
このように構成された医療設備システム２０１においても、点滴スタンド３の支柱部９４は、車椅子２の背面シート３２Ａの後面と幅方向に離間した一対のグリップ部３３Ａ，３３Ａとにより囲まれた後部空間Ｓ１内に配置されている。これにより、車椅子２のグリップ部３３Ａの後方における点滴スタンド３の配置されていない作業空間（図２参照）Ｓ２を大きく確保することができるため、看護師等は当該作業空間Ｓ２から車椅子２を操作することができる。よって、車椅子２の操作性を良好とすることができる。
【０１１９】
また、車椅子２を折り畳む際には、一対の起立フレーム部３２が幅方向に近接するにともなって、第一リンク部材３０１及び第二リンク部材３０２は、それぞれ対応する起立フレーム部３２に取り付けられた固定体２６０に対して、第一軸部３７１、第二軸部３７２を中心に回動する。この第一リンク部材３０１及び第二リンク部材３０２が起立フレーム部３２に対して回動するとともに、第一リンク部材３０１及び第二リンク部材３０２は、それぞれ連結体３６０に対して、第三軸部３７３を中心に互いに近接する方向に回動する。このようにして、第一リンク部材３０１と第二リンク部材３０２とは互いに近接する方向に移動して、車椅子２の折り畳み動作に追従することができる。
【０１２０】
また、上記に示す医療設備システム２０１では、第一リンク部材３０１及び第二リンク部材３０２が、起立フレーム部３２から斜め後方に向かって延びるように設けられている。よって、第一リンク部材３０１及び第二リンク部材３０２よりも上方に、空間部Ｋ１が形成される。また、第一リンク部材３０１及び第二リンク部材３０２よりも下方に、空間部Ｋ２が形成される。
また、図１４に二点鎖線で示すように、固定体２６０、連結体３６０をそれぞれ起立フレーム部３２、支柱部９４の所望の高さに設けることにより、第一リンク部材３０１及び第二リンク部材３０２を所望の高さに配置することができる。よって、看護者が車椅子２を後方から操作する場合には、看護者の好みの高さに第一リンク部材３０１及び第二リンク部材３０２に配置すれば、第一リンク部材３０１及び第二リンク部材３０２よりも上方の空間部Ｋ１及び下方の空間部Ｋ２に看護者の下肢をおさめることができる。また、第一リンク部材３０１及び第二リンク部材３０２を下方に配置して、第一リンク部材３０１及び第二リンク部材３０２よりも上方の空間部Ｋ１を看護者の作業スペースとすることもできる。
【０１２１】
なお、上述した実施の形態において示した各構成部材の諸形状や組み合わせ等は一例であって、本発明の主旨から逸脱しない範囲において設計要求等に基づき種々変更可能である。
【０１２２】
例えば、上記に示す実施形態においては、アタッチメント１０００は車椅子２の左側に取り付けられているが、車椅子２の右側に取り付けられていてもよい。
【０１２３】
また、上記に示す実施形態においては、機器の一例として点滴スタンド３を例に挙げて説明したが、本発明はこれに限られない。例えば、機器として酸素ボンベや尿パック等が載置された什器を採用することもできる。
【０１２４】
また、上記に示す実施形態においては、連結パイプ（接続部）１３００は、前後方向を向く軸部１１１０Ｊを中心に回動可能とされているが、本発明はこれに限られない。接続部は、上下方向を向く軸部を中心に、車椅子側取付部の取り付けられた左側本体又は右側本体に沿う位置まで回動可能とされていてもよい。
【符号の説明】
【０１２５】
２…車椅子
３…点滴スタンド（機器）
２１…前車輪（車輪）
２２…後車輪（車輪）
３３Ａ…グリップ部（把持部）
３１…ティッピングレバー（左側本体、右側本体）
３２…起立フレーム部（左側本体、右側本体）
３２Ａ…背面シート（着座部）
３４…座フレーム部（左側本体、右側本体）
３４Ａ…座シート（着座部）
３５…脚フレーム部（左側本体、右側本体）
３６…延出フレーム部（左側本体、右側本体）
３７…アームレスト（左側本体、右側本体）
３８…前フレーム部（左側本体、右側本体）
９０…脚ブロック（脚体）
９１…脚フレーム（脚部）
９４…支柱部（支持部）
１０００…アタッチメント（連結部）
１５００…ガイドフレーム（ガイド機構）
１５２０…後鉛直ガイド部（当接部）
Ｓ１…後部空間
Ｕ…輸液パック（物品）
【図１】
0006521503.tif 000002
【図２】
0006521503.tif 000003
【図３】
0006521503.tif 000004
【図４】
0006521503.tif 000005
【図５】
0006521503.tif 000006
【図６】
0006521503.tif 000007
【図７】
0006521503.tif 000008
【図８】
0006521503.tif 000009
【図９】
0006521503.tif 000010
【図１０】
0006521503.tif 000011
【図１１】
0006521503.tif 000012
【図１２】
0006521503.tif 000013
【図１３】
0006521503.tif 000014
【図１４】
0006521503.tif 000015
【図１５】
0006521503.tif 000016